【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
ＡＶ信号および前記ＡＶ信号の管理情報をディスク状の記録媒体に記録または再生する映像音声記録再生手段と、管理情報を格納するデータ格納手段と、前記映像音声記録再生手段に電力を供給する第１の電源と、前記データ格納手段に電力を供給する第２の電源とを備え、前記映像音声記録再生手段でＡＶ信号を記録中に前記第１の電源からの電力供給が断たれた場合に、前記第２の電源を用いて前記管理情報の生成に必要な情報を前記データ格納手段に書き込むように構成することを特徴とする映像音声記録再生装置。
【請求項２】
ＡＶ信号および前記ＡＶ信号の管理情報をディスク状の記録媒体に記録または再生する映像音声記録再生手段と、前記映像音声記録再生手段に電力を供給する第１の電源と、前記映像音声記録再生手段に電力を供給する第１の電源とは異なる第２の電源とを備え、前記映像音声記録再生手段で前記ＡＶ信号を記録中に前記第１の電源からの電力供給が断たれた場合には、前記ＡＶ信号の記録を停止し、前記第２の電源を用いて前記映像音声記録再生手段が前記記録を停止したＡＶ信号の管理情報の生成に必要な情報を前記記録媒体に記録するように構成することを特徴とする映像音声記録再生装置。
【請求項３】
前記ＡＶ信号の管理情報の生成に必要な情報を、前記記録を停止したＡＶ信号の記録領域から最も近い領域に記録することを特徴とする請求項２記載の映像音声記録再生装置。
【請求項４】
前記管理情報の生成に必要な情報がデータサイズまたはエントリであることを特徴とする請求項１から３のいずれか１項に記載の映像音声記録再生装置。
【請求項５】
前記第１の電源からの電力供給再開後に、前記データ格納手段に保持された前記ＡＶ信号の管理情報の生成に必要な情報に基づいて前記ＡＶ信号の管理情報を生成し、前記映像音声記録再生手段が前記記録媒体に前記ＡＶ信号の管理情報を記録することを特徴とする請求項１または２記載の映像音声記録再生装置。
【請求項６】
前記第１の電源からの電力供給再開後に、前記データ格納手段に保持された前記ＡＶ信号の管理情報の生成に必要な情報に基づいて前記ＡＶ信号の管理情報を生成し、前記映像音声記録再生手段が前記記録媒体の正規の位置に前記ＡＶ信号の管理情報を記録することを特徴とする請求項３記載の映像音声記録再生装置。
【請求項７】
前記第１の電源からの電力供給再開後に、前記ＡＶ信号の管理情報の生成及び記録を行うか否かを選択できる構成とすることを特徴とする請求項５または６記載の映像音声記録再生装置。
【請求項８】
前記ＡＶ信号の管理情報の記録が完了するまでは前記記録媒体を取り出せないように構成することを特徴とする請求項５または６記載の映像音声記録再生装置。
【手続補正２】
【補正対象書類名】明細書
【補正対象項目名】００１７
【補正方法】変更
【補正の内容】
【００１７】
【発明が解決しようとする課題】
本発明は、上記した点に鑑みてなされたものであって、その目的とするところは、少ない電力量で管理情報を記録することができる映像音声記録再生装置を提供する事にある。


【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】変更
【補正の内容】
【００３２】
【課題を解決するための手段】
本発明は、ＡＶ信号およびＡＶ信号の管理情報をディスク状の記録媒体に記録または再生する映像音声記録再生手段と、管理情報を格納するデータ格納手段と、映像音声記録再生手段に電力を供給する第１の電源と、データ格納手段に電力を供給する第２の電源とを備えた映像音声記録再生装置に対し、映像音声記録再生手段でＡＶ信号を記録中に第１の電源からの電力供給が断たれた場合に、第２の電源を用いて管理情報の生成に必要な情報をデータ格納手段に書き込むように構成する。
【手続補正１８】
【補正対象書類名】明細書
【補正対象項目名】００３３
【補正方法】変更
【補正の内容】
【００３３】
また、本発明では、ＡＶ信号およびＡＶ信号の管理情報をディスク状の記録媒体に記録または再生する映像音声記録再生手段と、映像音声記録再生手段に電力を供給する第１の電源と、映像音声記録再生手段に電力を供給する第１の電源とは異なる第２の電源とを備えた映像音声記録再生装置に対し、映像音声記録再生手段でＡＶ信号を記録中に第１の電源からの電力供給が断たれた場合には、ＡＶ信号の記録を停止し、第２の電源を用いて映像音声記録再生手段が記録を停止したＡＶ信号の管理情報の生成に必要な情報を記録媒体に記録するように構成する。
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】００５３
【補正方法】削除
【補正の内容】
【手続補正３９】
【補正対象書類名】明細書
【補正対象項目名】００５４
【補正方法】削除
【補正の内容】
【手続補正４０】
【補正対象書類名】明細書
【補正対象項目名】００５５
【補正方法】削除
【補正の内容】
【手続補正４１】
【補正対象書類名】明細書
【補正対象項目名】００５６
【補正方法】削除
【補正の内容】
【手続補正４２】
【補正対象書類名】明細書
【補正対象項目名】００５７
【補正方法】削除
【補正の内容】
【手続補正４３】
【補正対象書類名】明細書
【補正対象項目名】００５８
【補正方法】削除
【補正の内容】
【手続補正４４】
【補正対象書類名】明細書
【補正対象項目名】００５９
【補正方法】削除
【補正の内容】
【手続補正４５】
【補正対象書類名】明細書
【補正対象項目名】００６０
【補正方法】削除
【補正の内容】
【手続補正４６】
【補正対象書類名】明細書
【補正対象項目名】００６１
【補正方法】削除
【補正の内容】
【手続補正４７】
【補正対象書類名】明細書
【補正対象項目名】００６２
【補正方法】削除
【補正の内容】
【手続補正４８】
【補正対象書類名】明細書
【補正対象項目名】０１６６
【補正方法】変更
【補正の内容】
【０１６６】
【発明の効果】
本発明によれば、少ない電力量で管理情報を記録することができる。
【手続補正４９】
【補正対象書類名】明細書
【補正対象項目名】０１６７
【補正方法】削除
【補正の内容】
【手続補正５０】
【補正対象書類名】明細書
【補正対象項目名】０１６８
【補正方法】削除
【補正の内容】
【手続補正５１】
【補正対象書類名】明細書
【補正対象項目名】０１６９
【補正方法】削除
【補正の内容】
【手続補正５２】
【補正対象書類名】明細書
【補正対象項目名】０１７０
【補正方法】削除
【補正の内容】
【手続補正５３】
【補正対象書類名】明細書
【補正対象項目名】０１７１
【補正方法】削除
【補正の内容】
【手続補正５４】
【補正対象書類名】明細書
【補正対象項目名】０１７２
【補正方法】削除
【補正の内容】
【手続補正５５】
【補正対象書類名】明細書
【補正対象項目名】０１７３
【補正方法】削除
【補正の内容】
【手続補正５６】
【補正対象書類名】明細書
【補正対象項目名】０１７４
【補正方法】削除
【補正の内容】
【手続補正５７】
【補正対象書類名】明細書
【補正対象項目名】０１７５
【補正方法】削除
【補正の内容】
【手続補正５８】
【補正対象書類名】明細書
【補正対象項目名】０１７６
【補正方法】削除
【補正の内容】
【手続補正５９】
【補正対象書類名】明細書
【補正対象項目名】０１７７
【補正方法】削除
【補正の内容】
【手続補正６０】
【補正対象書類名】明細書
【補正対象項目名】０１７８
【補正方法】削除
【補正の内容】
【手続補正６１】
【補正対象書類名】明細書
【補正対象項目名】０１７９
【補正方法】削除
【補正の内容】
【手続補正６２】
【補正対象書類名】明細書
【補正対象項目名】０１８０
【補正方法】削除
【補正の内容】